(57)【要約】【課題】権利発生装置内での球挙動など、権利発生状態までの過程において、遊技者にとって興趣のある、飽きさせない演出を提供する。【解決手段】球誘導壁１６は１周以上２周以下、ここでは概ね１周半の範囲である。内側端部１４は固定端となっており、回転体１３の中心部からずらして配置し、入賞部１９に沿って渦を巻いて外方向に拡がりながら旋回し、入賞部１９の外周から離脱して回転体の外周に沿って旋回し、概ね半周で固定端部となる。外側端部１５と対向する球誘導壁１６と回転体１３の表面とで、球入口１６ａが形成されている。【選択図】図２
2004121493.tif 000002
【特許請求の範囲】
【請求項１】
一部を開口とする円筒状の外壁と、
該外壁内に配置する回転体と、を有し、
前記回転体は、
内側端部と外側端部を有する、渦巻状の球誘導壁と、
該球誘導壁の内側端部から１周以内の範囲で、該球誘導壁の内側と接するように形成され、前記回転体の回転に伴って遊技球が振分けられる特定入賞口及び普通入賞口を備え、前記回転体の中心から偏心して球誘導壁の内側に配置され、球入口を有する入賞部と、
を備えて、前記渦巻の広がる方向に回転するものであり、
前記球入口が前記開口に対向するときに遊技球が前記球入口に入球可能であり、前記開口が前記球誘導壁で塞がれるときに遊技球は前記球入口に入球不可能な構造であり、
前記開口から前記球入口へ入球する遊技球が、前記回転体の回転に伴い、前記外側端部から球誘導壁の内面に沿って移動し、前記入賞部にある前記特定入賞口又は普通入賞口に入賞することを特徴とする偏心振分け装置。
【請求項２】
前記球誘導壁が１周以上２周以下の渦巻である請求項１の偏心振分け装置。
【請求項３】
前記入賞部は、
１個の特定入賞口と、
複数の普通入賞口とを備える請求項１又は２の偏心振分け装置。
【請求項４】
前記特定入賞口は、前記入賞部の中心を含む、半長円状で、中心にあたる部分が貫通孔であり、
前記普通入賞口は、前記入賞部の中心を含まない半長円状の貫通孔である請求項１乃至３いずれかの偏心振分け装置。
【請求項５】
前記回転体の裏側には底板があり、
該底板に前記特定入賞口及び普通入賞口に対応した貫通孔が設けられている請求項１乃至４いずれかの偏心振分け装置
【請求項６】
請求項１乃至５に記載の偏心振分け装置を遊技盤面上に配置し、前記特定入賞口への入賞に起因して権利が発生し、遊技球を遊技盤面の右方向に打ち込んで、所定時間又は所定個数、遊技球が入球するまでアタッカーを開放させ、この動作を定められた継続回数繰り返すことを特徴とする弾球遊技機。
【発明の詳細な説明】
【０００１】
【産業上の利用分野】
この発明は、偏心振分け装置及び弾球遊技機に関し、更に詳しくは、遊技領域に遊技球を打ちこんで権利を獲得する遊技が行われる偏心振分け装置及び弾球遊技機に関する。
【０００２】
【従来技術】
従来の第３種遊技機の構成において、遊技者の最大の関心は遊技を権利発生状態にすることであり、そのため遊技者は権利発生装置の特定領域に遊技球を進入させるべく打球を操作し、権利発生装置内での球挙動は特に注目されることとなる。
【特許文献１】特開平５−２３７２２２号公報
例えば、この特開平５−２３７２２２に記載されているように、球誘導樋７４の最上部中央にはパチンコ球が通過可能な間隙を設け、入賞口７６としている。さらに、入賞口７６へパチンコ球が入賞するのを補助するために、取付基板７２には球誘導樋７５ａ，７５ｂが設けられている。また、球誘導樋７４の左右両側は球受入用の袋部７８ａ，７８ｂとなっており、この袋部７８ａ，７８ｂで囲まれた部分の取付基板７２には入賞口８０ａ，８０ｂが形成されており、パチンコ球が裏面側に導かれるようにされている。球誘導樋７４内には常時比較的ゆっくりとした速度（たとえば１０ｒｐｍ）で回転される回転板８２が配設されている。回転板８２の周面には球誘導溝８４，８６，８８が形成されている。球誘導溝８４〜８８のうち、誘導溝８４は、特定的領域として権利発生用入賞口８０ａへパチンコ球を誘導するためのものである。また、他の２つの誘導溝８６，８８は、通常の入賞口である８０ｂへパチンコ球を誘導するためのものである。このように、回転円板８２の球誘導溝８４〜８８は入賞球の振分け機能を果たすものである。パチンコ球Ｐが球誘導溝８６または８８で受止められた場合、回転円盤８２が回転し、球誘導溝８６または８８が図において右側の袋部７８ｂの位置まで回転してきたとき、受止められたパチンコ球Ｐは溝８６または８８から該袋部７８ｂへ転がり落ち、入賞口８０ｂへ入賞する。ここで、入賞口８０ｂは通常の入賞口であるから、この場合は権利は発生しない。一方、入賞口７６へ入賞したパチンコ球Ｐは球誘導溝８４で受止められた場合、球誘導溝８４の形状により、受止められたパチンコ球Ｐは袋部７８ｂへは転がり落ちず、回転円盤８２の回転に伴ってさらに導かれ、球誘導溝８４が図８に示すような位置にきたとき、受け止められたパチンコ球は図において左側の袋部７８ｂに転がり落ちる。そして、入賞口８０ａへ入賞する。入賞口８０ａは、前述したように、特定領域の一例の権利発生用入賞口とされている。したがって、この入賞口８０ａへ入賞したパチンコ球Ｐは遊技盤の裏面側に設けられた権利発生用入賞球検出スイッチ５１で検出される。前記回転円盤８２により、所定の駆動源により駆動され、打球を前記特定領域の方向またはそれ以外の方向に振分ける動的振分け装置が構成されている。
【０００３】
【発明が解決しようとしている課題】
しかしながら、このような動的な振分装置においては、複数の誘導溝が回転体の中心から等距離で外周部にほぼ均等に形成され、誘導溝に入った遊技球の動きが単調で留まる時間も短くなりやすく、特定入賞口と普通入賞口は回転体の外周にあるため、遊技球が入賞する動きも単調となり、遊技者に飽きられやすい。
そこで、権利発生装置内での球挙動など、権利発生状態までの過程において、遊技者にとって興趣のある、飽きさせない演出を提供できる振分け装置が希求されている。
【０００４】
【課題を解決する手段と効果】
前記の課題を解決するために本願発明の請求項１記載の偏心振分け装置は、
一部を開口とする円筒状の外壁と、
該外壁内に配置する回転体と、を有し、
前記回転体は、
内側端部と外側端部を有する、渦巻状の球誘導壁と、
該球誘導壁の内側端部から１周以内の範囲で、該球誘導壁の内側と接するように形成され、前記回転体の回転に伴って遊技球が振分けられる特定入賞口及び普通入賞口を備え、前記回転体の中心から偏心して球誘導壁の内側に配置され、球入口を有する入賞部と、
を備えて、前記渦巻の広がる方向に回転するものであり、
前記球入口が前記開口に対向するときに遊技球が前記球入口に入球可能であり、前記開口が前記球誘導壁で塞がれるときに遊技球は前記球入口に入球不可能な構造であり、
前記開口から前記球入口へ入球する遊技球が、前記回転体の回転に伴い、前記外側端部から球誘導壁の内面に沿って移動し、前記入賞部にある前記特定入賞口又は普通入賞口に入賞することを特徴とする偏心振分け装置である。
これにより、開口から入球した遊技球は球誘導壁内に貯留し、貯留された遊技球は回転体の回転によって球誘導壁を伝って入賞部に誘導され、入賞部で特定入賞口又は普通入賞口に振分けられる。
従って、従来の円の中心を基準として回転していた権利発生装置に対して、回転体の中心から偏って配置された入賞部の面白い動きと、入賞部に至るまでの遊技球の変化に富んだ球挙動が実現し、遊技者にとっても興趣の深い弾球遊技を提供することになる。
入賞部は、前記回転体の一部を構成する小円部であることが好ましいが、限定されるものではない。
【０００５】
請求項２に記載の偏心振分け装置は、前記球誘導壁が１周以上２周以下の渦巻である請求項１の偏心振分け装置である。
球誘導壁が１周以下となると、入賞部と回転体の他の部分とを区切ることができなくなり、球誘導壁が２周以上となると、回転体に入球した遊技球が入賞部にたどり着くまでの時間が長すぎることから、球誘導壁は１周以上２周以下であることが望ましい。尚、回転体の大きさ等、種々の条件によっては、２周以上の球誘導壁が必要になる場合もあり得る。
【０００６】
請求項３に記載の偏心振分け装置の、
前記入賞部は、
１個の特定入賞口と、
複数の普通入賞口とを備える請求項１又は２の偏心振分け装置である。
１個の特定入賞口及び複数の普通入賞口は入賞部を区画する球誘導壁に沿って設けられることが好ましく、回転体の回転に伴って球誘導壁に誘導されて入賞部に入球した遊技球は順繰りに入球していく。このとき、特定入賞口は、複数（例えば２つ）の普通入賞口に入球しなければ、特定入賞口へは入球できない構成とすることが望ましい。
【０００７】
請求項４に記載の偏心振分け装置は、
前記特定入賞口は、前記入賞部の中心を含む、半長円状で、中心にあたる部分が貫通孔であり、
前記普通入賞口は、前記入賞部の中心を含まない半長円状の貫通孔である請求項１乃至３いずれかの偏心振分け装置である。
半長円状としたのは、丸形よりも球が入りやすいからである。前記普通入賞口は、前記入賞部の中心を含まない半長円状としたのは、特定入賞口と区別するためである。
【０００８】
請求項５に記載の偏心振分け装置は、
前記回転体の裏側には底板があり、
該底板に前記特定入賞口及び普通入賞口に対応した貫通孔が設けられている請求項１乃至４いずれかの偏心振分け装置である。
ここでいう底板は、ベニヤ板に固定された台板とは別体の板材であってもよいし、遊技盤でもよい。
前記回転体に設けられた前記特定入賞口又は普通入賞口に入賞した遊技球は、底板に開けられた貫通孔から遊技盤面裏側に流下するのである。
【０００９】
請求項６に記載の弾球遊技機は、
請求項１乃至５に記載の偏心振分け装置を遊技盤面上に配置し、前記特定入賞口への入賞に起因して権利が発生し、遊技球を遊技盤面の右方向に打ち込んで、所定時間又は所定個数、遊技球が入球するまでアタッカーを開放させ、この動作を定められた継続回数繰り返すことを特徴とする弾球遊技機である。
請求項１乃至５に記載の偏心振分け装置は、各種のパチンコ機に適用できるが、請求項６に記載の弾球遊技機は、第３種パチンコ機に適用したものであり、これにより、権利発生装置の権利発生過程の面白さが格段に向上するものである。
【００１０】
【発明の実施の形態】
次に本発明の実施形態の偏心振分け装置１０について図面を参照して詳細に説明する。
図１〜図１５に示す偏心振分け装置１０は、右下の一部を開口１１とする円筒状の外壁１２と、外壁１２内に配置する回転体１３と、を備えるものである。この回転体１３は、内側端部１４（始端）と外側端部１５（終端）を有する渦巻状の球誘導壁１６と、球誘導壁１６の内側端部１４から１周以内の範囲で、球誘導壁１６の内側と接するように形成され、回転体１３の回転に伴って遊技球が振分けられる１個の特定入賞口１７及び複数（例えば３個）の普通入賞口１８ａ〜１８ｃを備え、回転体１３の中心から偏心して球誘導壁１６の内側に配置される入賞部１９（ここでは小円部である）と、を有して、渦巻の広がる方向（ここでは反時計方向）に自転するものである。偏心振分け装置１０は３個の入賞球で権利を発生するものである。この偏心振分け装置１０は特定入賞口１７と普通入賞口１８ａ〜１８ｃとを備えた入賞部１９が偏心して回転し、遊技球は偏心振分け装置１０の内部に一度滞留した後に回転体１３の回転により排出するものであり、偏心振分け装置１０及び遊技球のユニークな動きに特徴がある。ここでは回転体１３の所定周数（ここでは２周）の回転で１ラウンドを構成する。以下、詳細に説明する。
【００１１】
図１〜図４に示す通り、球誘導壁１６は１周以上２周以下、ここでは概ね１周半の範囲である。内側端部１４は固定端となっており、回転体１３の中心部からずらして配置し、入賞部１９に沿って渦を巻いて外方向に拡がりながら旋回し、入賞部１９の外周から離脱して回転体の外周に沿って旋回し、概ね半周で固定端部となる。外側端部１５と対向する球誘導壁１６と回転体１３の表面とで、球入口１６ａが形成されている。
【００１２】
図３（ａ），（ｂ）に示す通り、特定入賞口１７は、入賞部１９の中心を含む、半長円状で、中心にあたる部分が貫通孔であり、普通入賞口１８ａ〜１８ｃは、入賞部１９の中心を含まない半長円状の貫通孔である。特定入賞口１７の裏側は部分的に蓋２０（図４参照）がされている。蓋２０を設けるのは、特定入賞口１７と普通入賞口１８ａ〜１８ｃとを区別するためである。特定入賞口１７、普通入賞口１８ａ〜１８ｃに対応した検出スイッチ（図示略）に検知されることによって、特定入賞口１７への入賞ならば権利が発生し、普通入賞口１８ａ〜１８ｃへの入賞ならば賞球が払い出される。入賞部１９の表側は面一であるが、図６に示す通り、入賞部１９は裏側に突出している。裏側も面一としてもよい。
【００１３】
図３（ｃ）、図５に示す通り、回転体１３の裏側には底板２１があり、底板２１は外壁１２に固定されている。特定入賞口１７及び普通入賞口１８ａ〜１８ｃに対応した貫通孔２２及び貫通孔２３ａ，２３ｂが設けられている。底板２１の裏側には貫通孔２２及び貫通孔２３ａに対応する誘導樋２４ａ、貫通孔２３ｂに対応する誘導樋２４ｂが形成されている。特定入賞口１７に入球した遊技球は、回転体１３の底板２１から貫通孔２２を通過して遊技盤面裏に流下する。普通入賞口１８ａ〜１８ｃに入球した遊技球は、回転体１３の底板２１から貫通孔２３ａ，２３ｂを通過して遊技盤面裏に流下する。図示は略すが遊技盤４０（図１６参照）にも対応孔（図示略）が形成されている。特定入賞口１７及び普通入賞口１８ａ〜１８ｃは、回転体１３の回転に伴い、貫通孔２２及び貫通孔２３ａ、２３ｂに対して孔が合致したときに、それぞれ、遊技球Ｂを遊技盤面裏に排出する構造である。それらの孔が合致するまでは遊技球Ｂは底板２１に阻止されて回転体１３の表面側に滞留するのである。
【００１４】
図１及び図２に示す通り、偏心振分け装置１０は、外壁１２の上部に拡大又は開放可能な電動役物２５、電動役物２５から入球した遊技球を停留し排出する停留装置２６、停留装置２６に停留された遊技球を入球させる開口２７と、停留装置２６に遊技球が入球したことを検知する停留球検出近接スイッチ２８と、を備える。回転体１３は、停留球検出近接スイッチ２８により遊技球が検出されることによって回転を始めるものである。
停留装置２６は遊技球を複数個（図では８個）まで停留することができ、停留装置２６が停留できる球数を越える入球がある場合（ここでは９個目以後）には、排出口２９から遊技盤の裏に流下させられる。
この停留装置２６のケースは、電動役物２５の下部から外壁１２に沿ってカーブし、外壁１２の開口１１に対面するように開口２７が形成されたものである。
【００１５】
偏心振分け装置１０の外壁１２の所定個所（ここでは斜め上部）近傍に設けられた動力伝達部３０は、中心の軸に動力伝達部（回転軸、モータ等）を設けることが難しい構造を有する回転体１３を回転させるため、動力伝達部３０から回転体１３に対してギア等で外周から動力を伝達し、回転体１３を駆動させて回転するものである。
【００１６】
図１及び図２を参照して、回転体１３に遊技球Ｂが入球するまでの過程における動作を詳細に説明する。
遊技球が電動役物２５に入球すると、停留装置２６に停留され、開口１１に球入口１６ａが対向すれば、停留装置２６から球入口１６ａに停留された遊技球Ｂが排出される。回転体１３は回転しているので、開口１１に球入口１６ａが対向しない状態では、外壁１２の開口１１は球誘導壁１６によって塞き止められているため入球できない。この塞止状態から連通状態になることを説明すると、回転体１３の球入口１６ａは、反時計方向（図２内の矢印で示している方向）に回転している開口１１に近づくに従って、ｘ，ｙで示す遊技球Ｂが入球できない幅から次第に広がっていき、更に反時計方向に回転したｚにおいては遊技球Ｂが入球できる幅となり、停留装置２６から開口２７、開口１１を経て回転体１３の球入口１６ａに、停留されていた遊技球Ｂが入球するのである。
【００１７】
次に図７〜図１３を参照にして偏心振分け装置１０内に遊技球が入球してから、権利が発生するまでの動作の流れを説明する。尚、この説明において図７〜図１３では電動役物２５及び停留装置２６の図示は略す。
【００１８】
図７（ａ）において、回転体１３が反時計方向に回転することによって、球入口１６ａと、外壁１２の開口１１とが近づき、やがて球入口１６ａと開口１１が対向したときに、停留装置２６から開口２７を経て回転体１３内に遊技球Ｂ１から順次入球する。
【００１９】
図７（ｂ）において、停留装置２６内に停留していた遊技球Ｂ１〜Ｂ４が球入口１６ａから入球し、回転体１３内に停留している。図７（ｂ）から更に回転体１３が回転すると、球誘導壁１６は、再び開口１１を閉塞し、停留装置２６から遊技球Ｂが入球不可能な状態になる。尚、球入口１６ａと開口１１が連通し、遊技球Ｂが入球している間も回転体１３及び球誘導壁１６は回転し続けている。このとき、回転体１３の回転する速度を調節する事によって、球入口１６ａと開口１１が連通する１回毎に入球可能な遊技球数を調節することが好ましい。この遊技球数は複数個が好ましく、図では４個である。
【００２０】
図７（ｂ）から回転体１３が約半回転すると（その間、遊技球Ｂ１〜Ｂ４は自重で球誘導壁１６の底面内側に滞留する）、図８（ｃ）となり、球誘導壁１６に沿って遊技球Ｂ１〜Ｂ４が入賞部１９内に順次入球する。遊技球Ｂ１〜Ｂ４は連なって球誘導壁１６内側面を移動する。最初は、遊技球Ｂ１が普通入賞口１８ａに落とし込まれる。図８（ｃ）に示すときには、普通入賞口１８ａは底板２１によって閉塞された状態になっているため、遊技球Ｂ２〜Ｂ４は遊技球Ｂ１の上を通過していく。
【００２１】
図８（ｄ）において、遊技球Ｂ２〜Ｂ４は回転体１３の回転に伴い、球誘導壁１６に沿って内側端部１４に向かって入賞部１９内を移動し、遊技球Ｂ２が普通入賞口１８ｂに落とし込まれる。普通入賞口１８ａと同じく、普通入賞口１８ｂもまた遊技球１個分が入賞できる空間を有した貫通孔である。
【００２２】
図９（ｅ）において、普通入賞口１８ｂは底板２１によって閉塞された状態になっているため、遊技球Ｂ３〜Ｂ４は、遊技球Ｂ２の上を通過していく。遊技球Ｂ３〜Ｂ４は回転体１３の回転に伴い、球誘導壁１６に沿って球誘導壁１６の内側端部１４に向かって入賞部１９内を進入し、遊技球Ｂ３が特定入賞口１７に入賞する。特定入賞口１７は遊技球１個分が入賞できる幅を有し、入賞部１９の外周から中心に向けて伸びる半長円状の入賞口で、入賞部１９の中心にあたる部分のみ遊技球１個分が通過できる貫通孔となっていて、中心以外の部分は遊技球Ｂが通過できないように塞がっているので、遊技球Ｂ３は、孔に落とし込まれて、遊技球Ｂ４は遊技球Ｂ３の上を通過していく。
【００２３】
図９（ｆ）において、回転体１３が図７（ａ）の状態から１周したことによって、球入口１６ａと、開口１１とが再び近づき、やがて球入口１６ａと開口１１が連通したときに停留装置２６から開口２７を経て回転体１３内に２周目に新たな遊技球Ｂ５〜Ｂ８が入球し、回転体１３の底面に停留する。
【００２４】
図１０（ｇ）において、遊技球Ｂ４は普通入賞口１８ｃに落ち込む。普通入賞口１８ｃは普通入賞口１８ａと同じく、遊技球１個分が入賞できる空間を有した貫通孔で、普通入賞口１８ｃは底板２１によって閉塞された状態になっている。
このようにして、回転体１３表面内に入球した遊技球Ｂ１〜Ｂ４は、球誘導壁１６に誘導されて入賞部１９に到着し、入賞部１９に到着した遊技球から順繰りに、普通入賞口１８ａ、普通入賞口１８ｂ、特定入賞口１７、普通入賞口１８ｃに落とし込まれて移動する。
【００２５】
図１０（ｈ）において、回転体１３の回転によって、普通入賞口１８ａと貫通孔２３ａ（図１０（ｇ）参照）とが連通（合致）し、普通入賞口１８ａに入賞していた遊技球Ｂ１が遊技盤面裏に流下、排出される。このとき、貫通孔２３ａを通過することではじめて入球検出スイッチ（図示略）に検出されるため、賞球が払い出される。また、特定入賞口１７内の遊技球Ｂ３が、回転体１３の回転によって中心にあたる場所に移動する。このとき特定入賞口１７は底板２１によって塞がれている。
【００２６】
図１１（ｉ）において、回転体１３の回転によって、普通入賞口１８ｂと貫通孔２３ａ（図５参照）とが連通（合致）し、普通入賞口１８ｂに入賞していた遊技球Ｂ２が遊技盤面裏に流下、排出される。このとき、貫通孔２３ａを通過することではじめて入球検出スイッチ（図示略）に検出されるため、賞球が払い出される。
【００２７】
図１１（ｊ）において、回転体１３の回転によって、球誘導壁１６に沿って２周目の遊技球Ｂ５〜Ｂ８が入賞部１９に進入し、遊技球Ｂ５が普通入賞口１８ａに落ち込む。遊技球Ｂ１が入賞した時と同様、遊技球Ｂ６〜Ｂ８は遊技球Ｂ５の上を通過していく。
【００２８】
図１２（ｋ）において、回転体１３の回転によって、特定入賞口１７と貫通孔２２（図５参照）とが連通し、特定入賞口１７の貫通孔に停留していた遊技球Ｂ３が遊技盤面裏に流下、排出される。このとき、貫通孔２２を通過することではじめて入球検出スイッチ（図示略）に検出されるため、権利が発生する。
【００２９】
図１２（ｌ）において、回転体１３の回転によって、球誘導壁１６に沿って２周目の遊技球Ｂ６〜Ｂ８が入賞部１９に進入し、遊技球Ｂ６が普通入賞口１８ｂに落ち込む。遊技球Ｂ２が入賞した時と同様、遊技球Ｂ７〜Ｂ８は遊技球Ｂ６上を通過していく。
【００３０】
図１３（ｍ）において、回転体１３の回転によって、普通入賞口１８ｃと貫通孔２３ｂ（図５参照）とが連通し、普通入賞口１８ｃに入賞していた遊技球Ｂ４が遊技盤面裏に流下、排出される。このとき、貫通孔２３ｂを通過することで初めて入球検出スイッチ（図示略）に検出されるため、賞球が払い出される。
【００３１】
図１４〜図１５は、回転体１３内に遊技球が５つ入球した場合の回転体１３の回転に伴う遊技球Ｂ１〜Ｂ８の挙動について示した連続図である。
【００３２】
図１４（ａ）に示すように、停留装置２６内に８個の遊技球が停留している状態において、回転体１３の球入口１６ａへ遊技球Ｂ１〜Ｂ４が入球するのに加えて、遊技球Ｂ５が入球し、合計５個の遊技球が回転体１３内に入球する。入賞部１９内の入賞口は４つなので、遊技球が５つ入球しても１球余ることとなる。
【００３３】
図１４（ｂ）に示すように、回転体１３の回転によって、遊技球Ｂ１，Ｂ２，Ｂ３，Ｂ４は、夫々普通入賞口１８ａ、普通入賞口１８ｂ、特定入賞口１７、普通入賞口１８ｃに入賞し、遊技球Ｂ５だけが球誘導壁１６に沿って、球誘導壁１６の内側端部１４に向かって導かれる。
【００３４】
図１５（ｃ）に示すように、回転体１３は更に回転し、停留装置２６内の残りの遊技球Ｂ６〜Ｂ８が回転体１３内に入球する。また普通入賞口１８ａに入球した遊技球Ｂ１が底板２１の貫通孔２３ａから遊技盤面裏に排出される。
【００３５】
図１５（ｄ）に示すように遊技球Ｂ５は球誘導壁１６に沿って、入賞部１９から回転体１３の球入口１６ａ付近に流下し、そこで遊技球Ｂ６〜Ｂ８と合流し、２周目の遊技球として無駄なく消化されることとなる。
【００３６】
以上の通り、本実施形態によれば、開口１１から入球する遊技球が、回転体１３の回転に伴い、外側端部１５から球誘導壁１６の内面に沿って遊動しながら移動し、入賞部１９にある特定入賞口１７及び普通入賞口１８に入賞する。
【００３７】
この実施形態により、偏心振分け装置１０は３個の入賞球で権利を発生するものである。この偏心振分け装置１０は特定入賞口１７と普通入賞口１８ａ〜１８ｃとを備えた入賞部１９が偏心して回転し、遊技球は偏心振分け装置１０の内部に一度滞留した後に回転体１３の回転により排出するものであり、偏心振分け装置１０及び遊技球のユニークな動きにより、演出効果が高まる。遊技球が入賞部１９に入賞して遊技盤面から排出されても、すぐ次の遊技球が入賞部１９に入ってくるので、遊技者に得な感じを与え、遊技意欲が高まるという効果がある。入賞部１９にその孔の数よりも多く他の球が入ってきても逆戻りして再利用されるので、遊技球の入賞演出が効率化する効果がある。
【００３８】
図１６は偏心振分け装置１０を採用した遊技盤４０を備えた第３種パチンコ機の好適な実施形態について図示したものである。なお、偏心振分け装置１０以外の弾球遊技機の構造、制御、作用等については、従来の技術に従っているので、説明は省略する。
第３種遊技機に適用する遊技盤４０は、遊技盤面下部左側の始動口４３に入球させることによって、遊技盤面中央上部の表示器４２が回転し、図柄が揃うと遊技盤面中央の偏心振分け装置１０の上部に位置する電動役物２５が開閉を開始して、偏心振分け装置１０内に入球することが可能となる。電動役物２５から入球させ、停留装置２６に停留された遊技球が、回転体１３を経て、入賞部１９内の特定入賞口１７に入賞すると、大入賞口４７を開放させるための権利を獲得できる。ここで、遊技者は大入賞口開放役物４６内の始動口４６ａを狙って遊技球を打球し（右打ち）、始動口４６ａへ入球させると、偏心振分け装置１０の更に下部にある大入賞口４７が開放されて特別遊技状態となる。
【００３９】
特別遊技状態へ突入すると、大入賞口４７が１０秒間又は遊技球が１０個入賞するまで開放する。この動作を定められた継続回数（１６回）繰り返す。このとき、大入賞口４７に１個入球する毎に賞球を１５個払い出すので、遊技者は２４００（＝１０×１５×１６）発の遊技球を獲得できることになる。
【００４０】
その他遊技盤面４０上には、中央最下部にアウト口４８、遊技盤の各所に配置された回転体４９、遊技釘Ｋなどが備えられている。
【００４１】
以上の実施形態の説明では、第３種パチンコ機はじめ、各種のパチンコ機に適用できる。例えば、変更形態として、開口１１が反対側（左側）に形成されるなら、球誘導壁１６の渦巻きの広がる方向と回転体１３の回転方向は時計方向とすること、等が挙げられる。
尚、本発明の実施の形態は、上記の実施例に何ら限定されるものではなく、本発明の技術的範囲に属する限り種々の形態を採り得ることはいうまでもない。
【図面の簡単な説明】
【図１】本実施形態の偏心振分け装置１０の正面図である。
【図２】偏心振分け装置１０へ遊技球が取り込まれる様子を示す正面図である。
【図３】（ａ）は外壁１２及び回転体１３の斜視図、（ｂ）は同じく別の角度から見た斜視図、（ｃ）は、底板２１の斜視図である。
【図４】回転体１３の裏面図である。
【図５】底板２１の裏面図である。
【図６】偏心振分け装置１０の分解側面図である。
【図７】偏心振分け装置１０の権利発生までの球挙動の連続図（ａ），（ｂ）を示した図である。
【図８】偏心振分け装置１０の権利発生までの球挙動の連続図（ｃ），（ｄ）を示した図である。
【図９】偏心振分け装置１０の権利発生までの球挙動の連続図（ｅ），（ｆ）を示した図である。
【図１０】偏心振分け装置１０の権利発生までの球挙動の連続図（ｇ），（ｈ）を示した図である。
【図１１】偏心振分け装置１０の権利発生までの球挙動の連続図（ｉ），（ｊ）を示した図である。
【図１２】偏心振分け装置１０の権利発生までの球挙動の連続図（ｋ），（ｌ）を示した図である。
【図１３】偏心振分け装置１０の権利発生までの球挙動の連続図（ｍ）を示した図である。
【図１４】回転体１３内に遊技球が５つ入球した場合の連続図（ａ），（ｂ）である。
【図１５】回転体１３内に遊技球が５つ入球した場合の連続図（ｃ），（ｄ）である。
【図１６】偏心振分け装置１０を備えた実施形態の遊技盤面の正面図である。
【符号の説明】
１０…偏心振り分け装置　　１１…開口　　１２…外壁　　１３…回転体
１４…内側端部　　１５…外側端部　　１６…球誘導壁
１７…特定入賞口　　１８ａ〜１８ｃ…普通入賞口　　１９…入賞部
２０…蓋　　２１…底板　　２３ａ，２３ｂ…貫通孔
２５…電動役物　　２６…停留装置　　２７…開口
２８…停留球検出近接スイッチ　　２９…排出口
３０…動力伝達部　　Ｂ，Ｂ１〜Ｂ８…遊技球　　Ｋ…遊技釘
４０…遊技盤　　４２…表示器　　４３…始動口
４６…大入賞口開放役物　４６ａ…始動口　４７…大入賞口
【図１】
2004121493.tif 000003
【図２】
2004121493.tif 000004
【図３】
2004121493.tif 000005
【図４】
2004121493.tif 000006
【図５】
2004121493.tif 000007
【図６】
2004121493.tif 000008
【図７】
2004121493.tif 000009
【図８】
2004121493.tif 000010
【図９】
2004121493.tif 000011
【図１０】
2004121493.tif 000012
【図１１】
2004121493.tif 000013
【図１２】
2004121493.tif 000014
【図１３】
2004121493.tif 000015
【図１４】
2004121493.tif 000016
【図１５】
2004121493.tif 000017
【図１６】
2004121493.tif 000018